(57)【要約】【課題】操作者の座席位置によって各種設定を行う不特定多数のユーザに対して有効な車載情報機器を提供する。【解決手段】車載情報機器は、車室内にリモコン２で操作される複数の映像音声再生装置３５が配置され、車室内を監視してリモコン操作を行っている操作者を認識し、当該認識された操作者の位置情報を特定する画像情報認識部３１と、特定された位置情報に基づき、予め規定された映像音声再生環境から映像音声再生装置３５を制御して認識された操作者用の映像音声再生環境を提供する再生環境設定部３２とにより構成される。【選択図】図１
2010221893.tif 000002
【特許請求の範囲】
【請求項１】
車室内にリモコンで操作される複数の映像音声再生装置が配置された車載情報機器であって、
車室内を監視して前記リモコン操作を行っている操作者を認識し、前記認識された操作者の位置情報を特定する画像認識部と、
前記特定された位置情報に基づき、予め規定された映像音声再生環境から前記映像音声再生装置を制御して前記認識された操作者用の映像音声再生環境を提供する再生環境設定部と、
を備えたことを特徴とする車載情報機器。
【請求項２】
映像再生情報を制御して表示部に表示する表示制御部を備え、
前記再生環境設定部は、
前記特定された操作者の位置情報にしたがい前記表示制御部を制御し、前記映像再生情報のサイズもしくは輝度を変化させることを特徴とする請求項１記載の車載情報機器。
【請求項３】
音声再生情報を制御する音声出力制御部を備え、
前記再生環境設定部は、
前記特定された操作者の位置情報にしたがい前記音声出力制御部を制御し、再生音量を調整することを特徴とする請求項１または請求項２記載の車載情報機器。
【請求項４】
前記車室内に音声入力装置が配置され、
前記特定された位置情報に基づき、予め規定された音声入力環境から前記音声入力装置を制御して前記認識された操作者用の音声入力環境を提供する入力環境設定部
を備えたことを特徴とする請求項１記載の車載情報機器。
【請求項５】
音声入力情報を制御する音声入力制御部を備え、
前記入力環境設定部は、
前記特定された位置情報にしたがい前記音声入力制御部を制御し、入力音声のゲインを調整することを特徴とする請求項４記載の車載情報機器。
【請求項６】
音声入力情報を取得する音声入力インタフェース部を複数備え、
前記入力環境設定部は、
前記特定された位置情報にしたがい前記音声入力インタフェース部の有効無効を制御することを特徴とする請求項４記載の車載情報機器。
【発明の詳細な説明】
【技術分野】
【０００１】
本発明は、車室内にリモコンで操作される複数の映像音声再生装置もしくは音声入力装置が配置された車載情報機器に関する。
【背景技術】
【０００２】
車載情報機器は、車室内の乗員が快適に過ごせるように、エンターテイメント性が高い各種の映像、音声を扱うことが可能であり、また、その映像、音声を再生するＡＶ装置を車内に複数台設置することが一般的になりつつある。
例えば、後席用のＡＶ装置は、車内天井に、あるいは右後席用と左後席用に２台の装置が設置され、更に、比較的大型の３列シートを持つ車両では、２列目、３列目に別々のＡＶ装置を設置する場合もある。
【０００３】
一方、使用面においても利便性が追求され、例えば、特許文献１には、搭乗者に煩わしさを感じさせることなく、搭乗者に応じて車両における設定内容の変更を行うことの出来る車両設定変更装置が知られている（例えば、特許文献１参照）。また、ドアスピーカとシートスピーカとを組み合わせ、座席や人数等によってユーザの嗜好に合った音場設定にする音響システムも知られている（例えば、特許文献２参照）。
【先行技術文献】
【特許文献】
【０００４】
【特許文献１】特開２００４−２６２３９０号公報
【特許文献２】特開２００７−３０７３２号公報
【発明の概要】
【発明が解決しようとする課題】
【０００５】
上記した特許文献１に開示された技術によれば、設定内容を変更するために発話者毎にその特徴情報を記憶する必要があり、登録されていない話者が発話した場合、特徴情報が記憶されていないため対応できなくなる。また、特許文献２に開示された技術によれば、人の数や座席位置に応じてスピーカの音量等を設定するものであり、搭乗者の座席を検知して座席位置に応じた設定を行うため、特定の搭乗者のみに有効なものであって操作者に対して有効な設定ではない。
【０００６】
本発明は上記した課題を解決するためになされたものであり、操作者の座席位置によって各種設定を行う不特定多数のユーザに対して有効な車載情報機器を提供することを目的とする。
【課題を解決するための手段】
【０００７】
上記した課題を解決するために本発明の車載情報機器は、車室内にリモコンで操作される複数の映像音声再生装置が配置された車載情報機器であって、車室内を監視して前記リモコン操作を行っている操作者を認識し、前記認識された操作者の位置情報を特定する画像認識部と、前記特定された位置情報に基づき、予め規定された映像音声再生環境から前記映像音声再生装置を制御して前記認識された操作者用の映像音声再生環境を提供する再生環境設定部とを備えたものである。
【発明の効果】
【０００８】
本発明によれば、操作者の座席位置によって各種設定を行う不特定多数のユーザに対して有効な車載情報機器を提供することができる。
【図面の簡単な説明】
【０００９】
【図１】本発明の実施の形態１に係る車載情報機器の車室内における機器配置を示す図である。
【図２】本発明の実施の形態１に係る車載情報機器の内部構成を示すブロック図である。
【図３】本発明の実施の形態１に係る車載情報機器の動作を示すフローチャートである。
【図４】本発明の実施の形態１に係る車載情報機器の再生環境設定の一例を示す図である。
【図５】本発明の実施の形態２に係る車載情報機器の再生環境設定の一例を示す図である。
【発明を実施するための形態】
【００１０】
以下、図面を参照しながら本実施の形態について詳細に説明する。
実施の形態１．
図１は、本発明の実施の形態１に係る車載情報機器の車室内における機器配置を示す図である。
図１に示されるように、車室天井略中央部には監視センサとしての赤外線カメラ１が設置されており、この赤外線カメラ１は、常時車室内を監視しており、車室内でリモコン２を操作した操作者がいた場合、リモコン２から発せられる赤外線に反応し、操作者の位置を特定することができる。ここでは、リモコン２が後部座席右ＲＬに着座している乗員によってリモコン２が操作されている例が示されている。なお、運転手あるいは助手席乗員が、車載情報機器（以下、ヘッドユニット３という）のタッチパネルに直接指を触れ操作した場合、ヘッドユニット３は、画像処理によりどの座席位置から手が伸びてヘッドユニット３に触れたかを検知することができる。
【００１１】
図２は、本発明の実施の形態１に係る車載情報機器の内部構成を記すブロック図であり、ここでは、車載情報機器として図１に示すヘッドユニット３が示されている。
図２に示されるように、ヘッドユニット３は、主制御部３０と、画像認識部３１と、再生環境設定部３２と、入力環境設定部３３と、映像音声入出力インタフェース部３４と、メモリ部３７とにより構成される。１以上のＬＣＤ（Liquid Crystal display Device）モニタ３５１やスピーカ３５２を含む映像音声再生装置３５と、１以上のマイクロフォン３６１を含む音声入力装置３６は、ヘッドユニット３に実装される他、車室内の任意の場所に実装され、ヘッドユニット３に有線、もしくは無線により接続されているものとする。
【００１２】
主制御部３０は、車室内を監視してリモコン操作を行っている操作者を認識し、ここで認識された操作者の位置情報を特定し、特定された位置情報に基づき予め規定された映像音声再生環境から映像音声入出力インタフェース部３４経由で映像音声再生装置３５を制御して認識された操作者用の映像音声再生環境を提供するために、上記した画像認識部３１、再生環境設定部３２、映像音声入出力インタフェース部３４のシーケンス制御を行う。
【００１３】
また、主制御部３０は、特定された位置情報に基づき、予め規定された音声入力環境に基づき映像音声入出力インタフェース部３４を経由して音声入力装置３６を制御して認識された操作者用の音声入力環境を提供するために、画像認識部３１、入力環境設定部３３、映像音声入出力インタフェース部３４のシーケンス制御を行う。
【００１４】
画像認識部３１は、車室内を監視してリモコン操作を行っている操作者を認識し、認識された操作者の位置情報を特定する機能を有する。このため、画像認識部３１は、赤外線（ＩｒＤＡ）検知部３１１と、画像取得部３１２と、座席位置特定部３１３とを有する。
赤外線検知部３１１は、リモコン２からの赤外線を検知し、画像取得部３１２は、赤外線カメラ１により撮影された画像を取り込み、それぞれ座席位置特定部３１３へ供給する。座席位置特定部３１３は、画像認識によりリモコン２を操作した操作者の座席位置を特定して主制御部３０に引き渡す。
【００１５】
再生環境設定部３２は、画像認識部３１により特定された位置情報に基づき、予め規定された映像音声再生環境から後述する映像音声再生装置３５を制御して認識された操作者用の映像音声再生環境を提供する機能を有する。
入力環境設定部３３は、画像認識部３１により特定された位置情報に基づき、予め規定された音声入力環境から後述する音声入力装置３６を制御して認識された操作者用の音声入力環境を提供する機能を有する。
【００１６】
映像音声入出力インタフェース部３４は、表示制御部３４１と、表示メモリ３４２と、音声出力制御部３４３と、音声入力制御部３４４とを含む。
表示制御部３４１は、再生環境設定部３２による制御の下で、映像音声再生装置３５としてのＬＣＤモニタ３５１に、例えば、操作者の位置情報に基づくサイズもしくは輝度で映像再生情報を表示する。なお、表示メモリ３４２は、再生環境設定部３２により生成される表示情報を１画面分保持するものである。
【００１７】
音声出力制御部３４３は、再生環境設定部３２による制御の下で、特定された操作者の位置情報にしたがい映像音声再生装置３５としてのスピーカ３５２の再生音量を調整する。
音声入力制御部３４４は、入力環境設定部３３による制御の下で、特定された位置情報にしたがい音声入力装置３６としてのマイクロフォン３６１の入力音声のゲインを調整し、もしくは、音声入力インタフェース部３４５の有効無効を制御する。なお、メモリ部３７には、特定された座席位置に応じて操作者に最適な再生環境や入力環境に関する映像音声再生装置３５や音声入力装置３６の制御情報、および後述する映像音声入出力インタフェース部３４を構成する各ブロックに対する初期設定のためのデフォルト制御値が予め格納されている。
【００１８】
図３は、本発明の実施の形態１に係る車載情報機器の動作を示すフローチャートである。図３に示されるように、主制御部３０は、装置電源のＯＮ操作を待って動作を開始する。装置電源のＯＮが検知されると（ステップＳＴ３０１“ＹＥＳ”）、主制御部３０は、再生環境設定部３２、入力環境設定部３３を介して映像音声入出力インタフェース部３４を構成する各ブロックにメモリ部３７から読み出したデフォルト制御値を設定する（ステップＳＴ３０２）。
次に、画像認識部３１の赤外線検知部３１１は、リモコン２による操作入力の有無を判定し（ステップＳＴ３０３）、ＹＥＳの場合、座標位置特定部３１３は、画像取得部３１２を介して取得される赤外線カメラ１による撮影画像から、操作者およびその座席位置を特定する（ステップＳＴ３０４）。また、ステップＳＴ３０３の判定がＮＯの場合はステップＳＴ３０２に戻る。
【００１９】
ここで主制御部３０は、画像認識部３１による画像認識結果を得、認識された操作者が前回操作者と同じか否かを判定する（ステップＳＴ３０５）。異なっていれば（ステップＳＴ３０５“ＮＯ”）、再生環境設定部３２による制御の下、映像音声入出力インタフェース部３４の音声出力制御部３４３が、座席位置が特定された操作者の近傍に設置されたスピーカ３５２の音量を先に設定したデフォルト値から予め規定してあるレベル相当分下げる制御を行う（ステップＳＴ３０６）。
【００２０】
次に、主制御部３０は、画像認識部３１による画像認識結果から操作者は後部座席に着座しているか否かを判定し（ステップＳＴ３０７）、後部座席に着座している場合（ステップＳＴ３０７“ＹＥＳ”）、再生環境設定部３２による制御の下、映像音声入出力インタフェース部３４の表示制御部３４１が、例えば、図４（ｂ）にその画面構成の一例が示されるように、通常より文字サイズを大きく、あるいは輝度やコントラストを高く設定し（デフォルト制御値から上げて）ＬＣＤモニタ３５１に表示する。なお、図４中、（ａ）が前席用、（ｂ）が後席用の画面である。前席の画面に比較して後席から見る場合の文字サイズが大きくなっていることがわかる。
【００２１】
続いて、主制御部３０は、映像音声再生装置３５のスピーカ３５２が楽曲再生中か否かを判定する（ステップＳＴ３０９）。ステップＳＴ３０７の判定がＮＯの場合はステップＳＴ３０９へ移行する。
楽曲再生中の場合（ステップＳＴ３０９“ＹＥＳ”）、再生環境設定部３２による制御の下、映像音声入出力インタフェース部３４の音声出力制御部３４３が、特定された操作者近傍に配置されたスピーカ３５２による音声案内をＯＮし、その他のスピーカ３５２はＯＦＦする制御を行う（ステップＳＴ３１０）。楽曲再生中でなかった場合（ステップＳＴ３０９“ＮＯ”）、あるいはステップＳＴ３０５の処理で前回操作者と同じ操作者であった場合（ステップＳＴ３０５“ＹＥＳ”）、主制御部３０は、一定時間を待たずにリモコン２による操作入力があったか否かを判定する（ステップＳＴ３１１）。
【００２２】
ここで、一定時間待たずにリモコン操作入力があった場合（ステップＳＴ３１１“ＹＥＳ”）、主制御部３０は、ステップＳＴ３０４の処理に戻って画像認識部３１によるリモコン操作者の座席位置の特定を行い、リモコン操作入力がなかった場合は（ステップＳＴ３１１“ＮＯ”）、一定時間待った後（ステップＳＴ３１２）、デフォルト設定値に戻す制御を行う（ステップＳＴ３０２）。
【００２３】
上記した本発明の実施の形態１に係る車載情報機器によれば、画像認識部３１が赤外線画像認識により、例えば、図１に示されるように後席右に操作者がいることを検知し、再生環境設定部３２が、例えば、図４（ｂ）に示されるように、地図上のアイコン、文字等のサイズを大きくし、輝度を高くし、もしくはレイアウトを変更する等、画面を後席右に着座した乗員の仕様に設定することで、後席に着座している操作者も表示内容を把握しやすくなり使い勝手が向上する。
【００２４】
また、座席に着座した乗員毎にＬＣＤモニタ３５１に表示される文字の大きさ等の設定内容を変更することもできる。勿論、操作者の座席位置はヘッドユニット３が把握しているため、走行中に運転手がヘッドユニット３を操作しようとした場合、赤外線画像認識により安全のため操作不可にする制御も可能である。
更に、スピーカ３５２の設定変更も可能である。例えば、「音声ガイダンス」を後席右側のスピーカから出力する設定にするには、楽曲が再生されている場合に後席右側のスピーカのみの楽曲音量を下げる等が考えられる。これにより、操作者自身はヘッドユニット３が発する音声を聞き取りやすくなり、操作者以外は音声ガイダンスに遮られることなく楽曲を継続して聴くことが出来る。
【００２５】
実施の形態２．
次に、車室内にＬＣＤモニタ３５１が複数台装備されている場合を実施の形態２として図５を参照しながら説明する。以下に説明する実施の形態２においても実施の形態１同様、図１に示すヘッドユニット３の構成をそのまま使用するものとする。ここで、ヘッドユニット３は、操作者が着座している座席、またはその近傍に位置するＬＣＤモニタ３５１への出力のみ操作画面に設定できるようにしてもよい。
例えば、図５（ａ）に示されるように、後席に、ＬＣＤモニタ３５１が２台（３５１ａ、３５１ｂ）設置され、ヘッドユニット３とともにＤＶＤ（Digital Versatile Disc）映像を閲覧しているものとする。
【００２６】
ここで、後席右に着座している操作者ＲＬがリモコン２を操作してナビゲーションのための目的地設定を行うためにボタン操作を行ったとすれば、再生環境設定部３２が映像音声入出力インタフェース部３４の表示制御部３４１を制御して、後席のＬＣＤモニタ（ここでは３５１ａ）にのみ目的地設定メニューを表示し、ヘッドユニット３およびＬＣＤモニタ３５１ａには、ＤＶＤの映像画面を表示した状態を継続する。
つまり、再生環境設定部３２は、操作者が見るはずのＬＣＤモニタ３５１ａに対してのみ目的地設定操作のための表示に切り替える制御を行う。これにより、操作者は自身の位置の最も近くに設置されたモニタ３５１ａを確認しながら目的地設定を行うことができる。また、図５（ｂ）に示されるように、前席右（運転席）にのみ着座されている場合は、操作者である運転者に近いヘッドユニット３のモニタのみが操作画面となる。
【００２７】
実施の形態３．
次に、スピーカ３５２の代わりにヘッドホンが使用されている場合について実施の形態３として説明する。以下に説明する実施の形態３においても上述した実施の形態１、２同様、図１に示すヘッドユニット３の構成をそのまま使用するものとする。
スピーカ３５２の代わりに使用されるヘッドホンは楽曲再生を出力するのみであって、案内音声や音声ガイダンスはヘッドホンを通さない場合がある。また、後席モニタに直接接続されるヘッドホンはヘッドユニット３から後席モニタへ出力される映像とリンクしている場合が多い。そのため、音声ガイダンスは、ヘッドホンを通じて後席モニタへ出力されない可能性があり、その場合、後席に着座している操作者は、ヘッドホンを外して音声ガイダンスを聴くことになる。
【００２８】
そこで、再生環境設定部３２が映像音声入出力インタフェース部３４の音声出力制御部３４３を制御して、画像認識部３１により特定された操作者が装着しているヘッドホン（例えば、図５の後席モニタ３５１ａ用）に対して音声ガイダンスを出力する制御を行う。これによって、操作者はヘッドホンを外すことなく操作を行うことができる。
【００２９】
実施の形態４．
上記した実施の形態１〜３では、再生環境設定部３２が操作者に最適な映像音声再生環境を設定する例について説明したが、入力音声についても同様に制御が可能である。以下に説明する実施の形態４においても実施の形態１、２、３同様、図１に示すヘッドユニット３の構成をそのまま使用するものとするが、ここでは、再生環境設定部３２に代わりに、入力環境設定部３３が音声入力に対するサービス対応を行う。
【００３０】
音声認識を用いる場合、リモコン２やヘッドユニット３のコンソール部分に実装された「発話ボタン」を押すことにより赤外線で操作者の位置を特定できる。そして、入力環境設定部３３は、発話者の座席位置に応じてマイクロフォン３６１のゲインを変化させることができる。例えば、マイクロフォン３６１が運転席にあるのに対し、発話者が後席左に着座している場合、マイクロフォン３６１のゲインを大きく設定して発話者の音声の収集を容易化するようにしている。この場合、予め、座席毎の音響特性等をメモリ部３７に記憶させておき、座席毎に音声認識のモデル等の設定を変更しても良い。これにより、操作者の座席位置に応じた音声認識を行うことが出来る。
【００３１】
ここで、マイクロフォン３６１がそれぞれの音声入力インタフェース部３４５を介して複数台設置されている場合について説明する。
ここでは、発話者がマイクロフォン３６１に向かって発話した場合のみ、ヘッドユニット３がその発話内容を受け付けるものとする。受け付ける処理の一例として、ヘッドユニット３は、常に各マイクロフォンにより集音される音量を監視しており、ある一定の音量以上がマイクロフォン３６１に入力された場合にのみ発話者がマイクロフォン３６１を利用したものとして検知する。ヘッドユニット３は、画像認識部３１によって発話者の座席位置を特定すると同時に、入力環境設定部３３により特定された発話者以外の音声入力を一時的にＯＦＦする制御を行う。これによって、操作者以外の乗員の会話や他のマイクロフォンから入力される雑音を遮断することができ、音声の誤認識を未然に防ぐことができる。
【００３２】
なお、上記した再生環境設定部３２、入力環境設定部３３が有する機能は、全てをソフトウェアによって実現しても、あるいはその少なくとも一部をハードウェアで実現してもよい。例えば、再生環境設定部３２が、画像認識部３１により特定された位置情報に基づき、予め規定された映像音声再生環境から映像音声再生装置３５を制御して認識された操作者用の映像音声再生環境を提供するデータ処理は、１または複数のプログラムによりコンピュータ上で実現してもよく、また、その少なくとも一部をハードウェアで実現してもよい。
【符号の説明】
【００３３】
１  赤外線カメラ、２  リモコン、３  車載情報機器（ヘッドユニット）、３０  主制御部、３１  画像認識部、３２  再生環境設定部、３３  入力環境設定部、３４  映像音声入出力インタフェース部、３５  映像音声再生装置、３６  音声入力装置、３７  メモリ部、３１１  赤外線（ＩｒＤＡ）検知部、３１２  画像取得部、３１３  座席位置特定部、３４１  表示制御部、３４２  表示メモリ、３４３  音声出力制御部、３４４  音声入力制御部、３４５  音声入力インタフェース部、３５１  ＬＣＤモニタ、３５２  スピーカ、３６１  マイクロフォン。
【図１】
2010221893.tif 000003
【図２】
2010221893.tif 000004
【図３】
2010221893.tif 000005
【図４】
2010221893.tif 000006
【図５】
2010221893.tif 000007